(57)【要約】      （修正有）【課題】ケースの肉厚を薄くしても、十分な強度を確保できる鍵盤楽器を提供する。【解決手段】鍵盤楽器は、複数の鍵７を有する鍵盤部４と、複数の鍵７の後端側に、スピーカ５の音を前方に放音するための放音孔２４ａが設けられている前面部およびこの前面部の内側に、放音孔２４ａに対応して設けられている少なくとも１つの第１補強リブ２５を有する楽器ケース１と、を備える。少なくとも１つの第１補強リブ２５は、複数の鍵７の配列方向の長さより鍵７の前後方向の長さが長い。従って、複数の第１補強リブ２５によって上部ケース２および第２放音部２４を補強することができるので、上部ケース２の肉厚を薄くしても、上部ケース２および第２放音部２４の強度を十分に確保することができる。【選択図】図５
2020064147.tif 000002
【特許請求の範囲】
【請求項１】
複数の鍵を有する鍵盤と、
前記複数の鍵の後端側に、スピーカの音を前方に放音するための放音孔が設けられている前面部と、前記前面部の内側に、前記放音孔に対応して設けられている少なくとも１つの第１補強リブと、を有するケースと、
を備え、
前記少なくとも１つの第１補強リブは、前記複数の鍵の配列方向の長さより鍵の前後方向の長さが長い、鍵盤楽器。
【請求項２】
請求項１に記載の鍵盤楽器において、前記ケースは、前記少なくとも１つの第１補強リブの後方に、前記鍵の前後方向の長さより前記複数の鍵の配列方向の長さが長い枠状の第２補強リブを備え、
前記少なくとも１つの第１補強リブと、前記第２補強リブと、は連結している、鍵盤楽器。
【請求項３】
請求項２に記載の鍵盤楽器において、前記第２補強リブは、前記複数の鍵をそれぞれ回転可能に支持するために前記鍵盤側に設けられている鍵支持部に対応して設けられている、鍵盤楽器。
【請求項４】
請求項２または請求項３に記載の鍵盤楽器において、前記第２補強リブは、前記複数の鍵の配列方向に沿って複数設けられており、前記第２補強リブは、前記放音孔に対応する領域のなかの一部領域には設けられていない、鍵盤楽器。
【請求項５】
請求項４に記載の鍵盤楽器において、前記一部領域は、前記放音孔に対応する領域のなかの、前記ケースの中央側に位置する領域に含まれる、鍵盤楽器。
【請求項６】
請求項１〜請求項５のいずれかに記載の鍵盤楽器において、前記少なくとも１つの第１補強リブは、黒鍵に対応して設けられている、鍵盤楽器。
【請求項７】
請求項１〜請求項６のいずれかに記載の鍵盤楽器において、前記少なくとも１つの第１補強リブは、前記ケースの上面における内面側から前記前面部の下部に亘って延びている、鍵盤楽器。
【請求項８】
請求項１〜請求項７のいずれかに記載の鍵盤楽器において、前記放音孔は、前記前面部に複数、上下方向に配列されている、鍵盤楽器。
【請求項９】
請求項１〜請求項８のいずれかに記載の鍵盤楽器において、前記少なくとも１つの第１補強リブの下部には、少なくともフェルト及び放音部材のいずれか一方の位置を規制する位置規制部、が設けられている、鍵盤楽器。
【発明の詳細な説明】
【技術分野】
【０００１】
この発明は、電子ピアノなどの鍵盤楽器に関する。
【背景技術】
【０００２】
例えば、鍵盤楽器においては、特許文献１に記載されているように、複数の鍵およびスピーカを備えた楽器ケースにおける複数の鍵の後部上側の前面部に、左右方向に長い複数の放音孔を備えた放音部を設け、この放音部からスピーカの音を楽器ケースの前方に向けて放音する構造のものが知られている。
【先行技術文献】
【特許文献】
【０００３】
【特許文献１】特開２０１４−２１１６１８号公報
【発明の概要】
【発明が解決しようとする課題】
【０００４】
このような鍵盤楽器では、放音部の複数の放音孔が複数の鍵の配列方向に長く、かつ上下方向に複数配列されているため、複数の放音孔内にそれぞれ複数の仕切リブを所定間隔で設けることにより、放音部を補強している。
【０００５】
しかしながら、このような鍵盤楽器では、複数の仕切リブを複数の放音孔内に設けた構造であるから、楽器ケースの肉厚を厚く形成しなければ、放音部の強度を十分に確保することができないという問題がある。
【０００６】
この発明が解決しようとする課題は、ケースの肉厚を薄くしても、十分な強度を確保できる鍵盤楽器を提供することである。
【課題を解決するための手段】
【０００７】
この発明の一態様は、複数の鍵を有する鍵盤と、前記複数の鍵の後端側に、スピーカの音を前方に放音するための放音孔が設けられている前面部、および前記前面部の内側に、前記放音孔に対応して設けられている少なくとも１つの第１補強リブを有するケースと、を備え、前記少なくとも１つの第１補強リブは、前記複数の鍵の配列方向の長さより鍵の前後方向の長さが長い、鍵盤楽器である。
【発明の効果】
【０００８】
この発明によれば、ケースの肉厚を薄くしても、十分な強度を確保することができる。
【図面の簡単な説明】
【０００９】
【図１】この発明を適用した鍵盤楽器の一実施形態を示した斜視図である。
【図２】図１に示された鍵盤楽器の正面図である。
【図３】図１に示された鍵盤楽器の背面図である。
【図４】図２に示された鍵盤楽器の一部を示した拡大正面図である。
【図５】図２に示された鍵盤楽器のＡ−Ａ矢視における拡大断面図である。
【図６】図２に示された鍵盤楽器のＢ−Ｂ矢視における要部を示した拡大断面図である。
【図７】図１に示された鍵盤楽器の上部ケースの内部側を示した斜視図である。
【図８】図７に示された上部ケースを示した斜視図である。
【図９】図８に示された上部ケースを前側から見た要部の拡大正面図である。
【図１０】図９に示された上部ケースの放音部の一部を示した拡大正面図である。
【図１１】図８に示された上部ケースの要部を示した拡大斜視図である。
【図１２】図１１に示された上部ケースの要部を示した内面図である。
【図１３】図９に示された上部ケースのＣ−Ｃ矢視における拡大断面図である。
【図１４】図９に示された上部ケースのＤ−Ｄ矢視における拡大断面図である。
【発明を実施するための形態】
【００１０】
以下、図１〜図１４を参照して、この発明を適用した鍵盤楽器の一実施形態について説明する。
この鍵盤楽器は、図１〜図３に示すように、左右方向に長い横長の楽器ケース１を備えている。この楽器ケース１は、上部ケース２と下部ケース３とを備えている。
【００１１】
上部ケース２は、図１〜図３に示すように、上面における後部側と両側部とを除いて、前側のほぼ半分以上と前側部の上部とに亘って開放部２ａが設けられて、下部側が開放された横長のほぼ箱状に形成されている。下部ケース３は、上側に開放された横長の箱状に形成されている。これにより、楽器ケース１は、上部ケース２の下部外周が下部ケース３の上部外周に配置されて接合された構造になっている。この場合、上部ケース２の上面には、ボリュームスイッチＳＷ１および複数の押釦スイッチＳＷ２が設けられている。
【００１２】
また、この楽器ケース１の内部には、図１〜図７に示すように、鍵盤部４と複数のスピーカ５とが設けられている。鍵盤部４は、図５に示すように、下部ケース３内に配置された鍵盤シャーシ６と、この鍵盤シャーシ６上に配列された複数の鍵７と、これら複数の鍵７それぞれにアクション荷重を付与する複数のハンマー部材８と、複数の鍵７の押鍵操作に応じてそれぞれスイッチ動作する複数のスイッチ部９と、を備えている。
【００１３】
複数の鍵７は、図１〜図６に示すように、複数の白鍵１０と複数の黒鍵１１とを有している。複数の白鍵１０それぞれは、図５に示すように、後部が鍵盤シャーシ６の後端部上に設けられた鍵支持部１２に回転可能に取り付けられ、前端部が鍵盤シャーシ６の前端部に配置されて鍵盤シャーシ６の白鍵ガイド部１３ａによって上下方向にガイドされるようになっている。
【００１４】
複数の黒鍵１１それぞれは、図１、図２、図４〜図６に示すように、前後方向の長さが白鍵１０の前後方向の長さよりも短く形成され、高さが後部を除いて白鍵１０よりも高く形成されている。すなわち、複数の黒鍵１１それぞれは、図５に示すように、その後部が複数の白鍵１０の各後部と同じ高さになっている。
【００１５】
また、これら複数の黒鍵１１それぞれは、図５に示すように、白鍵１０と同様、後部が鍵盤シャーシ６の鍵支持部１２に回転可能に取り付けられ、前部が鍵盤シャーシ６の黒鍵ガイド部１３ｂによって上下方向にガイドされるようになっている。この場合、鍵支持部１２は、その高さが白鍵１０および黒鍵１１の各後部よりも少し高く形成されている。
【００１６】
これにより、複数の鍵７は、図５に示すように、楽器ケース１内に配置された際に、各鍵７の後部が上部ケース２の後側の部の下側に配置された状態で、上部ケース２の開放部２ａに対応して上側に露出するようになっている。この場合、複数の黒鍵１１それぞれは、前部側が高く、後部側に向けて次第に低くなるように傾斜している。これら複数の黒鍵１１は、その前部側の高さが上部ケース２の上面と同じ高さか、それよりも少し低く形成されている。
【００１７】
複数のハンマー部材８それぞれは、図５に示すように、ハンマー本体１５と錘部１６と軸部１７と鍵連動部１８とを備え、軸部１７が鍵盤シャーシ６のハンマー支持部１４に回転可能に取り付けている。この場合、複数のハンマー部材８は、白鍵用のハンマー部材８ａと黒鍵用のハンマー部材８ｂとを備えている。白鍵用のハンマー部材８ａは、黒鍵用のハンマー部材８ｂよりも長く、かつハンマー本体１５が黒鍵用のハンマー部材８ｂのハンマー本体１５と異なる形状になっている。
【００１８】
これにより、複数のハンマー部材８それぞれは、図５に示すように、錘部１６の重量によってハンマー本体１５が鍵盤シャーシ６のハンマー支持部１４に取り付けられた軸部１７を中心に反時計回り回転して、錘部１６の下端部が下限ストッパ２０に当接し、この状態で鍵連動部１８が鍵７を押し上げて初期位置に位置規制させるようになっている。
【００１９】
また、これら複数のハンマー部材８それぞれは、図５に示すように、鍵７が押鍵操作され、この押鍵操作された鍵７によって鍵連動部１８が錘部１６の重量に抗して押し下げられた際に、ハンマー本体１５が鍵盤シャーシ６のハンマー支持部１４に取り付けられた軸部１７を中心に時計回り回転し、鍵７にアクション荷重を付与して、錘部１６の上端部を上限ストッパ２１に当接させるようになっている。
【００２０】
複数のスイッチ部９それぞれは、図５に示すように、鍵盤シャーシ６上に設けられたスイッチ基板９ａと、このスイッチ基板９ａ上に設けられて各鍵７に対応する膨出ゴム９ｂと、を備えている。これら複数のスイッチ部９は、鍵７が押鍵操作された際に、鍵７の押圧部７ａが膨出ゴム９ｂを弾性変形させて、膨出ゴム９ｂ内の可動接点をスイッチ基板９ａ上の固定接点（いずれも図示せず）に接触させることにより、スイッチ信号を出力するようになっている。
【００２１】
ところで、複数のスピーカ５は、図５〜図７に示すように、上部ケース２内における左右方向の両側にそれぞれ上部ケース２の背面側に向けて設けられている。すなわち、これら複数のスピーカ５は、上部ケース２内における左右両側の背面にそれぞれ取り付けられている。これにより、複数のスピーカ５それぞれは、上部ケース２の背面側に向けて鍵盤部４の鍵盤シャーシ６の後部と上部ケース２の背面との間に配置されている。
【００２２】
この場合、上部ケース２の左右両側における背面には、図３、図５、図６に示すように、スピーカ５で発生された楽音を放音するための第１放音部２２が複数のスピーカ５にそれぞれ対応して設けられている。これら第１放音部２２には、多数の孔がそれぞれ設けられている。これにより、第１放音部２２は、スピーカ５で発生した楽音を楽器ケース１の背面から後方に向けて放音するようになっている。
【００２３】
また、上部ケース２の上部における前端部、つまり上部ケース２の開放部２ａの後部側の縁部には、図１、図４、図９、図１０に示すように、前面部２３が複数の鍵７における各後部の上側に対応して設けられている。この前面部２３における左右両側には、第２放音部２４がそれぞれ設けられている。この第２放音部２４は、左右方向に長いスリット状の放音孔２４ａが上下２段に配列されている。
【００２４】
この場合、第２放音部２４は、図１、図２、図４、図６〜図９に示すように、第１放音部２２の左右方向の長さよりも長く設けられている。すなわち、この第２放音部２４は、スピーカ５に対応する箇所から上部ケース２の前面部２３の中央側に向けてスピーカ５の左右方向の長さの２倍程度の長さで設けられている。この第２放音部２４が設けられた上部ケース２の前面部２３における内面には、図５〜図１０に示すように、複数の第１補強リブ２５が複数の鍵７の配列方向に沿って所定間隔で設けられている。
【００２５】
すなわち、複数の第１補強リブ２５それぞれは、図１１〜図１４に示すように、鍵７の前後方向の長さＳ１が鍵７の配列方向の長さＳ２（厚み）よりも長い縦板状をなしている（図１２参照）。これら複数の第１補強リブ２５それぞれは、上部ケース２の上面における内面から上部ケース２の前面部２３の下端部に亘って複数の放音孔２４ａを横切った状態で上下方向に延びていると共に、上部ケース２の背面に向けて延びている。
【００２６】
この場合、複数の第１補強リブ２５の下端部は、図１１〜図１４に示すように、上部ケース２の前面部２３の下端面と同一の高さで、同一面上に配置されている。これにより、複数の第１補強リブ２５は、上部ケース２の上面部および前面部２３の肉厚が薄く形成されていても、上部ケース２の上面部および前面部２３を強固に補強するようになっている。
【００２７】
この場合、複数の第１補強リブ２５のうち、第２放音部２４に対応する複数の第１補強リブ２５は、図１１〜図１４に示すように、上部ケース２の前面部２３の肉厚が薄く形成され、かつ第２放音部２４にスリット状の複数の放音孔２４ａが設けられていても、上部ケース２の上面における内面から上部ケース２の前面部２３の下端部に亘って複数の放音孔２４ａを横切った状態で設けられていることにより、第２放音部２４を強固に補強するようになっている。
【００２８】
また、これら複数の第１補強リブ２５のうち、少なくとも第２放音部２４に対応する複数の第１補強リブ２５は、図４〜図６に示すように、鍵盤部４の複数の黒鍵１１にそれぞれ対応して設けられている。これにより、第２放音部２４に対応する複数の第１補強リブ２５は、上部ケース２の前面部２３の第２放音部２４が複数の鍵７の各後部の上側に配置されていても、鍵盤部４を前方から見た際に、複数の黒鍵１１によって前方から見えないように隠されている。
【００２９】
また、上部ケース２の上面の内面における複数の第１補強リブ２５の後部側には、図１１〜図１４に示すように、複数の第１補強リブ２５の配列方向に沿って長い枠状の第２補強リブ２６が設けられている。この第２補強リブ２６は、上部ケース２の前面部２３と平行な一対の長辺部２６ａと、これら一対の長辺部２６ａの間に所定間隔で設けられた短辺部２６ｂと、を備え、これらによって全体が細長い枠状に形成されている。
【００３０】
すなわち、この第２補強リブ２６は、図１１〜図１４に示すように、鍵７の前後方向の長さＳ３（幅）が鍵７の配列方向の長さＳ４よりも短い横長の枠状に形成されている（図１２参照）。この第２補強リブ２６の長辺部２６ａには、複数の第１補強リブ２５がそれぞれ連結されている。これにより、複数の第１補強リブ２５と第２補強リブ２６とは、上部ケース２の上面と前面部２３とを、より一層、強固に補強して、上部ケース２と前面部２３との撓みや捩れを防ぐようになっている。
【００３１】
この場合、第２補強リブ２６は、図５および図６に示すように、下部ケース３上に上部ケース２が重なり合った際に、鍵盤シャーシ６に設けられて複数の鍵７をそれぞれ回転可能に支持する複数の鍵支持部１２に対応して設けられている。これにより、第２補強リブ２６は、鍵盤シャーシ６に設けられた複数の鍵支持部１２の上端部に配置されて支持されるようになっている。すなわち、鍵盤シャーシ６に設けられた複数の鍵支持部１２は、複数の各鍵７の各後部の上側に突出していることにより、各上端部に第２補強リブ２６が配置されても、複数の鍵７の回転動作を妨げないようになっている。
【００３２】
また、この第２補強リブ２６には、図１１〜図１４に示すように、第２放音部２４のうち、スピーカ５よりも上部ケース２の前面部２３における左右方向の中間部寄りに位置する第２放音部２４に対応する一部の領域に、第2補強リブ２６が存在しない音抜け部２７が設けられている。この音抜け部２７は、第２補強リブ２６が設けられていない箇所であり、スピーカ５で発生した音が第２補強リブ２６によって遮らないようにして、音抜けを向上させるようになっている。
【００３３】
この場合、音抜け部２７の中間部には、図１１〜図１４に示すように、左右方向の長さが短い枠状の補助補強リブ２７ａが設けられている。この補助補強リブ２７ａは、音抜け部２７の左右方向の長さが長い場合に、上部ケース２の強度が低下するのを防ぐためのものであり、上部ケース２が下部ケース３上に重なって配置された際に、第２補強リブ２６と同様、鍵盤シャーシ６の鍵支持部１２に支持されるようになっている。
【００３４】
また、上部ケース２の前面部２３の下端部と複数の第１補強リブ２５の各下端部とには、図５に示すように、帯状のフェルト２８が上部ケース２の前面部２３の全長に亘って貼り付けられている。この場合、複数の第１補強リブ２５の各下端部には、図１１〜図１４に示すように、フェルト２８の前後位置を規制する位置規制部２５ａが設けられている。これにより、フェルト２８は、第１補強リブ２５の位置規制部２５ａによって前後位置が規制されることにより、フェルト２８の前端が上部ケース２の前面部２３に対して揃えられている。
【００３５】
次に、このような鍵盤楽器の作用について説明する。
この鍵盤楽器で演奏する場合には、複数の鍵７を押鍵操作すれば良い。すなわち、複数の鍵７を押鍵操作すると、押鍵された鍵７がハンマー部材８の鍵連動部１８を押し下げて、ハンマー部材８の軸部１７を中心にハンマー本体１５を回転させるので、ハンマー部材８の回転動作に伴って押鍵された鍵７にアクション荷重が付与される。
【００３６】
このときには、押鍵された鍵７の押圧部７ａがスイッチ部９の膨出ゴム９ｂを押圧して弾性変形させるので、膨出ゴム９ｂ内の可動接点がスイッチ基板９ａの固定接点に接触してスイッチ信号を出力する。すると、スイッチ９のスイッチ信号に基づいて発音部（図示せず）が楽音データを生成して複数のスピーカ５から楽音を発生させる。
【００３７】
このときには、複数のスピーカ５で発生した楽音が、上部ケース２の背面に設けられた第１放音部２２から楽器ケース１の後方、つまり観客側に向けて放音される。また、このときには、複数のスピーカ５で発生した楽音のうちの低音の楽音が、上部ケース２の前面部２３に設けられた第２放音部２４の複数の放音孔２４ａから楽器ケース１の前側、つまり演奏者側に向けて放音される。
【００３８】
このように、上部ケース２の前面部２３に設けられた第２放音部２４の複数の放音孔２４ａからスピーカ５の音が放音されるときには、第２放音部２４の複数の放音孔２４ａが上部ケース２の前面部２３にその左右方向にスリット状に細長く形成されていても、第１補強リブ２５によって第２放音部２４が補強されていることにより、複数の放音孔２４ａを通り抜ける音によって第２放音部２４が振動することによる異音の発生が防げる。
【００３９】
また、このときには、枠状の第２補強リブ２６に音抜け部２７が設けられていることにより、スピーカ５で発生した楽音の一部が第２補強リブ２６によって遮られても、スピーカ５で発生した楽音の他の一部が音抜け部２７を通して第２放音部２４の複数の放音孔２４ａから放音されるので、これによってもスピーカ５で発生した楽音が楽器ケース１の前側から演奏者側に向けて良好に放音される。
【００４０】
ところで、この楽器ケース１の上部ケース２における前面部２３の内面には、第１補強リブ２５が上部ケース２の上面の内面から前面部２３の下端部に亘って設けられていることにより、上部ケース２の上面部と前面部２３とが補強されている。このため、上部ケース２の上面部および前面部２３の肉厚を薄くしても、上部ケース２の上面部および前面部２３の強度が確保される。
【００４１】
また、上部ケース２の上面の内面に枠状の第２補強リブ２６が複数の第１補強リブ２５の配列方向に沿って長く設けられていることにより、上部ケース２の上面部が補強されている。このため、これによっても、上部ケース２の上面部の肉厚を薄くしても、上部ケース２の上面部の強度が確保される。
【００４２】
すなわち、この枠状の第２補強リブ２６は、上部ケース２の前面部２３と平行な一対の長辺部２６ａと、これら一対の長辺部２６ａ間に所定間隔で設けられた短辺部２６ｂと、を備え、これらによって全体が細長い枠状に形成されていることにより、この枠状の第２補強リブ２６によって上部ケース２の上面部が強固に補強される。このため、上部ケース２の上面部の肉厚を薄くしても、上部ケース２の上面部の撓みが防げる。
【００４３】
この場合、複数の第１補強リブ２５は、枠状の第２補強リブ２６に連結されているので、これら複数の第１補強リブ２５と枠状の第２補強リブ２６とによって上部ケース２全体の強度が更に高められる。このため、上部ケース２の上面部および前面部２３の肉厚を薄くしても、上部ケース２全体の撓みや捩れが確実に防げる。
【００４４】
また、枠状の第２補強リブ２６は、上部ケース２が下部ケース３上に重なって配置された際に、下部ケース３に設けられた鍵盤シャーシ６の鍵支持部１２上に配置されて支持されることにより、これによっても上部ケース２の強度が確保されると共に、楽器ケース１全体の強度も確保される。
【００４５】
このように、この楽器ケース１は、複数の第１補強リブ２５と枠状の第２補強リブ２６とによって上部ケース２が強固に補強されていることにより、上部ケース２の肉厚を薄くして、上部ケース２の材料費を削減して低コスト化が図れるほか、上部ケース２の重量を軽くして軽量化が図れるので、楽器ケース１の持ち運びが容易になる。
【００４６】
また、この楽器ケース１は、上部ケース２の上面に放音部が設けられていないことによっても、上部ケース２の強度が確保されるので、楽器ケース１の破損が防げるほか、楽器ケース１内への塵挨の侵入が軽減されると共に、外観がスッキリしたものになり、デザイン性が高められる。
【００４７】
この場合、上部ケース２の前面部２３に設けられた第２放音部２４の複数の第１補強リブ２５が、複数の鍵７のうち、上部ケース２の上面とほぼ同じ高さの複数の黒鍵１１に対応して設けられていることにより、楽器ケース１を正面から見た際に、第２放音部２４の複数の放音孔２４ａが黒鍵１１間から見えても、複数の第１補強リブ２５が複数の黒鍵１１によって隠されるので、これによっても楽器ケース１全体の外観がスッキリしてデザイン性が向上される。
【００４８】
さらに、上部ケース２の前面部２３の下端部と複数の第１補強リブ２５の各下端部とには、帯状のフェルト２８が上部ケース２の前面部２３の全長に亘って貼り付けられているので、複数の鍵７が上部ケース２の前面部２３の下端部に直接当接するのを防いで緩衝するほか、第２放音部２４の複数の放音孔２４ａから侵入した塵挨など異物の楽器ケース１内への侵入が軽減される。
【００４９】
この場合、複数の第１補強リブ２５には、フェルト２８の前後方向の位置を規制する位置規制部２５ａがそれぞれ設けられていることにより、これら第１補強リブ２５の位置規制部２５ａによってフェルト２８の前後位置を規制して、フェルト２８の前端が上部ケース２の前面部２３に対して正確に揃えられるので、これによっても外観性およびデザイン性の向上が図れる。
【００５０】
このように、この鍵盤楽器によれば、複数の鍵７を有する鍵盤部４と、複数の鍵７の後端側に、スピーカ５の音を前方に放音するための放音孔２４ａが設けられている前面部２３、およびこの前面部２３の内側に、放音孔２４ａに対応して設けられている少なくとも１つの第１補強リブ２５を有する楽器ケース１と、を備え、少なくとも１つの第１補強リブ２５は、複数の鍵７の配列方向の長さＳ２より鍵７の前後方向の長さＳ１が長いことにより、上部ケース２の肉厚を薄くしても、十分な強度を確保することができる。
【００５１】
すなわち、この鍵盤楽器では、複数の第１補強リブ２５が、複数の鍵７の配列方向の長さＳ２（厚み）よりも鍵７の前後方向の長さＳ１が長い縦板状をなし、鍵７の配列方向に配列されていることにより、上部ケース２および第２放音部２４を補強することができるので、上部ケース２の肉厚を薄くしても、上部ケース２および第２放音部２４の強度を十分に確保することができる。
【００５２】
また、この鍵盤楽器では、第２放音部２４が、ピーカ５の音を上部ケース２の前方に放音するための鍵７の配列方向に長い複数の放音孔２４ａを上部ケース２の前面部２３に上下方向に配列させていることにより、ピーカ５で発生した音を上部ケース２の前面部２３に設けられた複数の放音孔２４ａから上部ケース２の前側に良好に放音させることができるので、ピーカ５で発生した音を演奏者が良好に聴くことができる。
【００５３】
この場合、複数の第１補強リブ２５のうち、第２放音部２４に対応する複数の第１補強リブ２５は、上部ケース２の上面における内面から上部ケース２の前面部２３の下部に亘って上下方向に延びていることにより、第２放音部２４の複数の放音孔２４ａを上下方向に横切って設けられているので、複数の放音孔２４ａが左右方向に長いスリット状に形成されていても、複数の第１補強リブ２５によって第２放音部２４を確実にかつ強固に補強することができる。
【００５４】
また、この鍵盤楽器では、上部ケース２の上面の内面における複数の第１補強リブ２５の後方に、鍵７の配列方向の長さＳ４が鍵７の前後方向の長さＳ３（幅）よりも長い枠状の第２補強リブ２６が複数の第１補強リブ２５の配列方向に沿って設けられていることにより、この枠状の第２補強リブ２６によっても上部ケース２を補強することができるので、上部ケース２の肉厚を薄くすることができると共に、上部ケース２の肉厚を薄くしても、上部ケース２の強度を十分に確保することができる。
【００５５】
すなわち、この枠状の第２補強リブ２６は、上部ケース２の前面部２３と平行で鍵７の配列方向に長い一対の長辺部２６ａと、これら一対の長辺部２６ａの間に等間隔で設けられて鍵７の前後方向の長さＳ３が長辺部２６ａよりも短い短辺部２６ｂと、を備え、これらによって全体が細長い枠状に形成されていることにより、この枠状の第２補強リブ２６によって上部ケース２の上面部を確実にかつ強固に補強することができるので、上部ケース２の肉厚を薄くしても、上部ケース２の撓みを防ぐことができる。
【００５６】
この場合、枠状の第２補強リブ２６は、複数の第１補強リブ２５がそれぞれ連結されていることにより、これら複数の第１補強リブ２５と枠状の第２補強リブ２６とによって上部ケース２および前面部２３を、より一層、確実にかつ強固に補強することができ、これにより上部ケース２および前面部２３の各肉厚を薄くしても、上部ケース２および前面部２３の撓みや捩れを確実にかつ強固に防ぐことができる。
【００５７】
これにより、この鍵盤楽器では、複数の第１補強リブ２５と枠状の第２補強リブ２６とによって上部ケース２および前面部２３が十分に補強されているので、上部ケース２および前面部２３の各肉厚を薄くすることにより、上部ケース２の材料費を削減して低コスト化を図ることができると共に、上部ケース２の重量を軽くして軽量化を図ることができ、これにより楽器ケース１の持ち運びを容易にすることができる。
【００５８】
また、この鍵盤楽器では、複数の鍵７の配列方向に沿って長い枠状の第２補強リブ２６が、鍵盤シャーシ６に設けられて複数の鍵７の後部を回転可能に支持する鍵支持部１２に対応して設けられていることにより、上部ケース２を下部ケース３に重ねて楽器ケース１を組み立てた際に、鍵盤シャーシ６の鍵支持部１２に枠状の第２補強リブを支持させることができるので、これによっても上部ケース２を補強することができると共に、楽器ケース１全体を補強することができる。
【００５９】
この場合、鍵盤シャーシ６に設けられた複数の鍵支持部１２は、複数の各鍵７の各後部の上側に突出していることにより、各上端部に枠状の第２補強リブ２６が配置されても、この第２補強リブ２６によって複数の鍵７の回転動作が妨げられることがないので、複数の鍵７を良好に押鍵操作することができる。
【００６０】
また、この鍵盤楽器では、複数の放音孔２４ａが設けられた第２放音部２４に対応する第２補強リブ２６の一部の領域に、第２補強リブ２６が存在しない音抜け部２７が設けられていることにより、スピーカ５で発生した音が第２補強リブ２６によって遮られても、第２補強リブ２６に設けられた音抜け部２７をスピーカ５で発生した音が通り抜けるので、この音抜け部２７によって音抜けを向上させてスピーカ５の音を第２放音部２４の複数の放音孔２４ａから良好に放音させることができる。
【００６１】
この場合、音抜け部２７は、第２放音部２４に対応する領域のうち、上部ケース２の前面部２３における中央側に位置する領域に設けられていることにより、スピーカ５で発生した音が音抜け部２７を通り抜けて上部ケース２の前側に放音されるので、スピーカ５で発生した音を演奏者に向けて確実にかつ良好に放音させることができる。
【００６２】
また、この音抜け部２７の左右方向の長さが長い場合には、音抜け部２７の中間部に左右方向の長さが短い枠状の補助補強リブ２７ａを設けることにより、第２補強リブ２６による上部ケース２の強度の低下を補助補強リブ２７ａによって防ぐことができる。この場合にも、補助補強リブ２７ａは、上部ケース２が下部ケース３上に重なって配置された際に、第２補強リブ２６と同様、鍵盤シャーシ６の鍵支持部１２に支持されることにより、音抜け部２７に対応する箇所の上部ケース２の強度を確保することができる。
【００６３】
また、この鍵盤楽器では、複数の第１補強リブ２５が複数の鍵７における黒鍵１１に対応して設けられていることにより、楽器ケース１を正面から見た際に、第２放音部２４の複数の放音孔２４ａが黒鍵１１同士の間から見えても、複数の黒鍵１１によって複数の第１補強リブ２５を隠すことができるので、楽器ケース１全体の外観をスッキリさせてデザイン性を向上させることができる。
【００６４】
すなわち、この鍵盤楽器では、第２放音部２４と黒鍵１１とがほぼ同じ高さであることにより、楽器ケース１を正面から見た際に、複数の黒鍵１１によって複数の第１補強リブ２５を確実に隠すことができる。この場合、黒鍵１１は、前部側が第２放音部２４と同じ高さで、後部側に向けて次第に低くなるように傾斜して形成されているので、楽器ケース１を正面から見た際に、高さの高い黒鍵１１の前部側によって複数の第１補強リブ２５を確実に隠すことができる。
【００６５】
さらに、この鍵盤楽器では、複数の第１補強リブ２５の下部にフェルト２８が水平な状態で張り渡されていることにより、複数の鍵７が上部ケース２の前面部２３の下端部に直接当接するのを防いで緩衝することができるほか、第２放音部２４の複数の放音孔２４ａから侵入した塵挨など異物が楽器ケース１に侵入するのを軽減することができる。
【００６６】
この場合、複数の第１補強リブ２５には、フェルト２８の前後方向の位置を規制する位置規制部２５ａがそれぞれ設けられていることにより、これら第１補強リブ２５の位置規制部２５ａによってフェルト２８の前後位置を規制することができるので、フェルト２８の前端を上部ケース２の前面部２３に対して正確にかつ良好に揃えることができ、これによっても外観性およびデザイン性を向上させることができる。
【００６７】
なお、上述した実施形態では、上部ケース２の前面部２３の下端部と複数の第１補強リブ２５の下端部とにフェルト２８を張り渡した場合について述べたが、この発明は、これに限らず、上部ケース２の前面部２３の下端部と複数の第１補強リブ２５の下端部とに放音ネットを張り渡した構造であっても良い。
【００６８】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００６９】
（付記）
請求項１に記載の発明は、複数の鍵を有する鍵盤と、前記複数の鍵の後端側に、スピーカの音を前方に放音するための放音孔が設けられている前面部と、前記前面部の内側に、前記放音孔に対応して設けられている少なくとも１つの第１補強リブと、を有するケースと、を備え、前記少なくとも１つの第１補強リブは、前記複数の鍵の配列方向の長さより鍵の前後方向の長さが長い、鍵盤楽器である。
【００７０】
請求項２に記載の発明は、請求項１に記載の鍵盤楽器において、前記ケースは、前記少なくとも１つの第１補強リブの後方に、前記鍵の前後方向の長さより前記複数の鍵の配列方向の長さが長い枠状の第２補強リブを備え、前記少なくとも１つの第１補強リブと、前記第２補強リブと、は連結している、鍵盤楽器である。
【００７１】
請求項３に記載の発明は、請求項２に記載の鍵盤楽器において、前記第２補強リブは、前記複数の鍵をそれぞれ回転可能に支持するために前記鍵盤側に設けられている鍵支持部に対応して設けられている、鍵盤楽器である。
【００７２】
請求項４に記載の発明は、請求項２または請求項３に記載の鍵盤楽器において、前記第２補強リブは、前記複数の鍵の配列方向に沿って複数設けられており、前記第２補強リブは、前記放音孔に対応する領域のなかの一部領域には設けられていない、鍵盤楽器である。
【００７３】
請求項５に記載の発明は、請求項４に記載の鍵盤楽器において、前記一部領域は、前記放音孔に対応する領域のなかの、前記ケースの中央側に位置する領域に含まれる、鍵盤楽器である。
【００７４】
請求項６に記載の発明は、請求項１〜請求項５のいずれかに記載の鍵盤楽器において、前記少なくとも１つの第１補強リブは、黒鍵に対応して設けられている、鍵盤楽器である。
【００７５】
請求項７に記載の発明は、請求項１〜請求項６のいずれかに記載の鍵盤楽器において、前記少なくとも１つの第１補強リブは、前記ケースの上面における内面側から前記前面部の下部に亘って延びている、鍵盤楽器である。
【００７６】
請求項８に記載の発明は、請求項１〜請求項７のいずれかに記載の鍵盤楽器において、前記放音孔は、前記前面部に複数、上下方向に配列されている、鍵盤楽器である。
【００７７】
請求項９に記載の発明は、請求項１〜請求項８のいずれかに記載の鍵盤楽器において、前記少なくとも１つの第１補強リブの下部には、少なくともフェルト及び放音部材のいずれか一方の位置を規制する位置規制部、が設けられている、鍵盤楽器である。
【符号の説明】
【００７８】
１  楽器ケース
２  上部ケース
３  下部ケース
４  鍵盤部
５  スピーカ
６  鍵盤シャーシ
７  鍵
８  ハンマー部材
９  スイッチ部
１０  白鍵
１１  黒鍵
１２  鍵支持部
２３  前面部
２４  第２放音部
２４ａ  放音孔
２５  第１補強リブ
２５ａ  位置規制部
２６  第２補強リブ
２６ａ  長辺部
２６ｂ  短辺部
２７  音抜け部
２７ａ  補助補強リブ
２８  フェルト
【図１】
2020064147.tif 000003
【図２】
2020064147.tif 000004
【図３】
2020064147.tif 000005
【図４】
2020064147.tif 000006
【図５】
2020064147.tif 000007
【図６】
2020064147.tif 000008
【図７】
2020064147.tif 000009
【図８】
2020064147.tif 000010
【図９】
2020064147.tif 000011
【図１０】
2020064147.tif 000012
【図１１】
2020064147.tif 000013
【図１２】
2020064147.tif 000014
【図１３】
2020064147.tif 000015
【図１４】
2020064147.tif 000016